(57)【特許請求の範囲】
【請求項１】
防水層を敷設した床面と壁面とが交叉する建物のコーナー部分に配設されるものであって、水平縁部と垂直縁部とにより断面略Ｌ形に形成されたドレイン受皿と、該ドレイン受皿の垂直縁部から後方に延成された排水管部とを備えたドレイン本体と、前記ドレイン受皿上に配設されて前記水平縁部及び垂直縁部との間で防水層の開口縁を挟持する防水層押えとを備えてなるコーナードレインにおいて、
前記防水層押えの上部位置に、建物の壁面に沿って立ち上がる防水層を遮蔽するための遮蔽パネルの下端を保持する保持手段を設けたことを特徴とするコーナードレイン。
【請求項２】
保持手段が、遮蔽パネルの下端が嵌挿される断面略コ字形のホルダーと、該ホルダーを防水層押えに固定する固定手段とにより構成されていることを特徴とする請求項１に記載したコーナードレイン。
【請求項３】
固定手段が、防水層押えの上部に形成された、螺子孔を具備する固定座部と、該固定座部の螺子孔に前方から螺合される固定螺子と、ホルダーの後背面に連成されて、前記固定螺子の操作頭部に係合される断面略Ｃ字形の係合部とにより構成されていることを特徴とする請求項２に記載したコーナードレイン。
【請求項４】
防水層押えに、前方に向けて突出する天板部を連成し、該天板部によってホルダーの下面を支持するようにしたことを特徴とする請求項２又は請求項３に記載したコーナードレイン。
【請求項５】
保持手段が、遮蔽パネルの下端が嵌挿される断面略コ字形のホルダーを、防水層押えに一体成形することにより構成されていることを特徴とする請求項１に記載したコーナードレイン。
【請求項６】
防水層を敷設した床面と壁面とが交叉する建物のコーナー部分に配設されるものであって、水平縁部と垂直縁部とにより断面略Ｌ形に形成されたドレイン受皿と、該ドレイン受皿の垂直縁部から後方に延成された排水管部とを備え、さらに前記ドレイン受皿の後半部分を覆うようにして該ドレイン受皿に連成された天板部と左右側板部とからなる支持壁とを備えてなるコーナードレインにおいて、
前記支持壁の上部位置に、建物の壁面に沿って立ち上がる防水層を遮蔽するための遮蔽パネルの下端を保持する保持手段を設けたことを特徴とするコーナードレイン。
【請求項７】
保持手段が、遮蔽パネルの下端が嵌挿される断面略コ字形のホルダーと、該ホルダーを支持壁の天板部に固定する固定手段とにより構成されていることを特徴とする請求項６に記載したコーナードレイン。
【請求項８】
固定手段が、支持壁の天板部に形成された、螺子孔を具備する固定座部と、該固定座部の螺子孔に前方から螺合される固定螺子と、ホルダーの後背面に連成されて、前記固定螺子の操作頭部に側方から係合される断面略Ｃ字形の係合部とにより構成されていることを特徴とする請求項７に記載したコーナードレイン。
【請求項９】
保持手段が、遮蔽パネルの下端が嵌挿される断面略コ字形のホルダーを、支持壁の天板部に一体成形することにより構成されていることを特徴とする請求項６に記載したコーナードレイン。
【請求項１０】
ホルダーに、前方から操作工具を挿入して固定螺子を回動し得る操作孔が形成されていることを特徴とする請求項３又は請求項８に記載したコーナードレイン。
【発明の詳細な説明】
【０００１】
【発明の属する技術分野】
本発明は、建物の壁面に沿って立ち上がる防水層を遮蔽するために配設される遮蔽パネルの下端を保持し得るようにしたコーナードレインに関する。
【０００２】
【従来の技術】
図１０に示すように、コーナードレインａが配設される、床面ｂと壁面ｃとが交叉する建物のコーナー部分の施工にあって、床面ｂから壁面ｃの下部に亘って防水層ｄを敷設するとともに、床面ｂ側の防水層ｄ上に押えコンクリートｅを打設することによって、人の歩行を可能とし、かつ防水層ｄの剥離或いは膨れを防止する一方、壁面ｃ側の防水層の立ち上がり部ｄ’の保護及び美観向上を目的として、セメント質の遮蔽パネルｆを防水層の立ち上がり部ｄ’の前面に配設する工法が知られている。
【０００３】
従来、上記遮蔽パネルｆの下端を保持する方法としては、図１０，図１１に示すように、コーナードレインａの配設箇所以外のコーナー部分に押えコンクリートｅを嵩上げして支持段部ｇを一連状に形成するとともに、該支持段部ｇ上に断面略コ字形のホルダーｈを夫々固着させ、コーナードレインａを跨いで左右両側の支持段部ｇ，ｇに差し渡される遮蔽パネルｆの下端を、前記ホルダーｈに嵌挿して保持したり、或いは図１２に示すように、遮蔽パネルｆにコ字状の切欠き部ｉを形成し、該切欠き部ｉによってコーナードレインａを跨ぐようにして遮蔽パネルｆを配設するとともに、該遮蔽パネルｆの下端部を、押えコンクリートｅ上に固着したホルダーｈに嵌挿して保持したりしている。
【０００４】
【発明が解決しようとする課題】
而して、上記のような従来の保持方法にあって、図１０，図１１に示したものにあっては、少なくともコーナードレインａの高さを越える支持段部ｇの嵩上げ施工が必要であり、また、図１２に示したものにあっては、遮蔽パネルｆの所定位置をコ字状に切欠く現場作業が必要であるため、時間と手間が掛かるという問題点があった。さらに支持段部ｇを嵩上げ施工するものにあっては、コンクリート型枠を用いるため、コンクリートの固結後に該型枠を除去するとコーナードレインａとの間に隙間が生じることとなり、また、遮蔽パネルｆにコ字状の切欠き部ｉを形成するものにあっては、切欠く位置が不明確であるため、コーナードレインａよりも大きな切欠きが必要であり、この場合にもコーナードレインａとの間に隙間が生じる。従って、何れの方法にあっても、コーナードレインａとの間に生じる隙間によって美観性が低下するという問題点があった。
【０００５】
本発明は、かかる問題点を解消し得る機能を備えたコーナードレインを提供することを目的とするものである。
【０００６】
【課題を解決するための手段】
本発明は、防水層を敷設した床面と壁面とが交叉する建物のコーナー部分に配設されるものであって、水平縁部と垂直縁部とにより断面略Ｌ形に形成されたドレイン受皿と、該ドレイン受皿の垂直縁部から後方に延成された排水管部とを備えたドレイン本体と、前記ドレイン受皿上に配設されて前記水平縁部及び垂直縁部との間で防水層の開口縁を挟持する防水層押えとを備えてなるコーナードレインにおいて、前記防水層押えの上部位置に、建物の壁面に沿って立ち上がる防水層を遮蔽するための遮蔽パネルの下端を保持する保持手段を設けたことを特徴とするコーナードレインである。
【０００７】
上記のようにコーナードレインを構成する防水層押えの上部位置に、遮蔽パネルの下端を保持する保持手段を設けることにより、従来のように、押えコンクリートを嵩上げしたり、遮蔽パネルをコ字状に切欠いたりしなくても、遮蔽パネルの下端を保持することができる。これにより、施工を容易かつ迅速に行うことが可能となり、工期の短縮化が図れる。また、コーナードレインと遮蔽パネルとの間に殆ど隙間が生じることなく施工できるので美観性が向上する。
【０００８】
ここで、上記保持手段は、遮蔽パネルの下端が嵌挿される断面略コ字形のホルダーと、該ホルダーを防水層押えに固定する固定手段とにより構成したものが提案される。かかる構成にあっては、別体形成したホルダーを固定手段によって防水層押えに固定することにより、該ホルダーをコーナードレインと一体化させることができる。
【０００９】
さらに、前記固定手段としては、防水層押えの上部に形成された、螺子孔を具備する固定座部と、該固定座部の螺子孔に前方から螺合される固定螺子と、ホルダーの後背面に連成されて、前記固定螺子の操作頭部に係合される断面略Ｃ字形の係合部とにより構成したものが提案され得る。
【００１０】
かかる構成にあっては、上記のようにホルダーをコーナードレインと一体化させることができるとともに、固定螺子の螺進作用を介してホルダーを進退させることにより、該ホルダーに保持される遮蔽パネルの位置調整を行うことができる。
【００１１】
また、防水層押えに、前方に向けて突出する天板部を連成し、該天板部によってホルダーの下面を支持するようにしてもよい。これにより、ホルダーに保持される遮蔽パネルの重量を支えることができ、堅牢性を向上させることができる。
【００１２】
さらに、上記保持手段の他の構成として、遮蔽パネルの下端が嵌挿される断面略コ字形のホルダーを、防水層押えに一体成形する構成が提案され得る。かかる構成にあっては、構造が簡略化でき、安価に提供し得る利点がある。
【００１３】
また、本発明は、防水層を敷設した床面と壁面とが交叉する建物のコーナー部分に配設されるものであって、水平縁部と垂直縁部とにより断面略Ｌ形に形成されたドレイン受皿と、該ドレイン受皿の垂直縁部から後方に延成された排水管部とを備え、さらに前記ドレイン受皿の後半部分を覆うようにして該ドレイン受皿に連成された天板部と左右側板部とからなる支持壁とを備えてなるコーナードレインにおいて、前記支持壁の上部位置に、建物の壁面に沿って立ち上がる防水層を遮蔽するための遮蔽パネルの下端を保持する保持手段を設けたことを特徴とするコーナードレインである。
【００１４】
上記のようにコーナードレインを構成する支持壁の上部位置に、遮蔽パネルの下端を保持する保持手段を設けることにより、この発明にあっても、従来のように、押えコンクリートを嵩上げしたり、遮蔽パネルをコ字状に切欠いたりしなくても、遮蔽パネルの下端を保持することができるので、施工を容易かつ迅速に行うことが可能となり、工期の短縮化が図れる。また、コーナードレインと遮蔽パネルとの間に殆ど隙間が生じることなく施工できるので美観性が向上する。
【００１５】
ここで、上記保持手段は、遮蔽パネルの下端が嵌挿される断面略コ字形のホルダーと、該ホルダーを支持壁の天板部に固定する固定手段とにより構成したものが提案される。かかる構成にあっては、別体形成したホルダーを固定手段によって支持壁の天板部に固定することにより、該ホルダーをコーナードレインと一体化させることができる。
【００１６】
さらに、前記固定手段としては、支持壁の天板部に形成された、螺子孔を具備する固定座部と、該固定座部の螺子孔に前方から螺合される固定螺子と、ホルダーの後背面に連成されて、前記固定螺子の操作頭部に係合される断面略Ｃ字形の係合部とにより構成したものが提案され得る。
【００１７】
かかる構成にあっては、上記のようにホルダーをコーナードレインと一体化させることができるとともに、固定螺子の螺進作用を介してホルダーを進退させることにより、該ホルダーに保持される遮蔽パネルの位置調整を行うことができる。
【００１８】
さらに、上記保持手段の他の構成として、遮蔽パネルの下端が嵌挿される断面略コ字形のホルダーを、支持壁の天板部に一体成形する構成が提案され得る。かかる構成にあっては、構造が簡略化でき、安価に提供し得る利点がある。
【００１９】
また、前記ホルダーに、前方から操作工具を挿入して固定螺子を回動し得る操作孔を形成するようにしてもよい。これにより、ホルダーの進退操作を前方から容易に行うことが可能となる。
【００２０】
【発明の実施の形態】
以下に、本発明にかかるコーナードレインの第一実施例を、図１〜図５について説明する。
コーナードレイン１ａは、図１に示すように、屋上やベランダ等の床面ｘと壁面ｙとが交叉する建物のコーナー部分に配設されており、図示しない仮固定装置によってコンクリート型枠に仮固定した状態でコンクリートを打設することにより、該コンクリートの固化によって形成される床部Ｘの床面ｘと壁部Ｙの壁面ｙのコーナー部分に埋設施工される。また、壁部Ｙの上部には、前方に突出する笠木部Ｙ’が連成されており、該笠木部Ｙ’の下面に後述する遮蔽パネル１６の上端が嵌挿される目地溝ｚが予め形成されている。
【００２１】
コーナードレイン１ａのドレイン本体２は、水平縁部３ａと垂直縁部３ｂとにより断面略Ｌ形に形成されたドレイン受皿４と、該ドレイン受皿４の垂直縁部３ｂから後方に延成された排水管部５とを備えている。この排水管部５の内周面に形成された雌螺子部６には、壁部Ｙを貫通して後方に延出する樋管７の基部が螺着されている。
【００２２】
前記床面ｘ上には、アスファルト防水層，シート防水層等からなる防水層８が敷設されている。該防水層８は壁面ｙに沿って立ち上げられて、床面ｘと壁面ｙの下部とを一体に被覆しており、該防水層８を切欠いて形成された排水口の開口縁９が、前記ドレイン受皿４の水平縁部３ａと垂直縁部３ｂに亘って被着されている。また、床面ｘ側の防水層８上には押えコンクリート１０が打設されている。
【００２３】
また、ドレイン受皿４上には、前記防水層８の開口縁９を、水平縁部３ａ及び垂直縁部３ｂとの間で挟持する断面略Ｌ形の防水層押え１１が配設されている。該防水層押え１１は、ドレイン受皿４に斜めに立設された螺子杆１２ａと、該螺子杆１２ａに螺装されるナット１２ｂとによってドレイン受皿４に固定されている。さらに、該防水層押え１１の前方開口部には、多数の幅狭状通水間隙１３を備え、かつ前部が斜めに傾斜したストレーナ１４が配設されており、該ストレーナ１４は、その上部を螺子１５によって防水層押え１１に固定することにより、該防水層押え１１を介してドレイン受皿４に被着されている。
【００２４】
前記防水層押え１１の上部位置には、遮蔽パネル１６の保持手段１７が設けられており、該保持手段１７によって、建物の壁面ｙに沿って立ち上がる防水層８の立ち上がり部８’を遮蔽するための遮蔽パネル１６の下端が保持されている。
【００２５】
ここで、防水層押え１１には、後述するホルダー１９の下面を支持する天板部１８ａが前方に向けて突出させて連成されており、さらに該天板部１８ａとでドレイン受皿４の後半部分を覆う左右側板部１８ｂ，１８ｂ（図２参照）が連成されている。
【００２６】
前記保持手段１７は、遮蔽パネル１６の下端が嵌挿される断面略コ字形のホルダー１９と、該ホルダー１９を防水層押え１１に固定する固定手段とによって構成されており、前記ホルダー１９の後背面にはその固定手段を構成する断面略Ｃ字形の係合部２０が連成されている。
【００２７】
一方、防水層押え１１の上部には、螺子孔２１（図４参照）を具備する固定座部２２が少なくとも左右一対で形成されており、該固定座部２２の螺子孔２１には前方から固定螺子２３が螺進作用を介して進退可能に螺合されている。そして、該固定螺子２３の操作頭部２４に前記ホルダー１９の係合部２０を係合させることにより、該ホルダー１９を防水層押え１１に固定するようにしている。そして、かかる固定座部２２，固定螺子２３，係合部２０によって、ホルダー１９を防水層押え１１に固定する固定手段が構成されている。
【００２８】
さらに、前記ホルダー１９には、図４に示すように、固定座部２２に対応する位置に、前方からドライバー等の操作工具を挿入し得る操作孔２５が形成されており、該操作孔２５から挿入される操作工具によって固定座部２２の固定螺子２３を回動し得るようになっている。
【００２９】
上述のコーナードレイン１ａを用いた遮蔽パネル１６の施工方法を説明する。図１に示すように、コーナードレイン１ａ，防水層８及び押えコンクリート１０を施工した後、遮蔽パネル１６を施工するには、防水層押え１１に形成されている各固定座部２２の螺子孔２１に固定螺子２３を螺合させるとともに、該固定螺子２３の操作頭部２４にホルダー１９の係合部２０を側方から係合させて保持させる。ここで、ホルダー１９の操作孔２５からドライバー等の操作工具を挿入して固定螺子２３を回動させることにより、その螺進作用を介してホルダー１９を進退させ、笠木部Ｙ’の下面に予め形成された目地溝ｚに上下で一致するように位置調整を行う。これにより、遮蔽パネル１６と防水層８の立ち上がり部８’との間隔が、施工現場毎で異なるように設定される場合にあっても、その施工態様に容易に対応することができる。
【００３０】
次に、図５に示すように、コーナードレイン１ａの上部に配設されることとなる幅狭状の遮蔽パネル１６を、ホルダー１９から目地溝ｚまでの高さ間隔に対応する長さに切断する。ここで、該幅狭状の遮蔽パネル１６は、コーナードレイン１ａの横幅、即ち、防水層押え１１の天板部１８ａの横幅と一致するように予め形成されているため、現場における遮蔽パネル１６の切断加工は、上記のように遮蔽パネル１６を所要長さに切断するだけでよい。然る後、該遮蔽パネル１６の上下端を、ホルダー１９と目地溝ｚに夫々側方から嵌挿し、中央にスライドさせる。これにより、遮蔽パネル１６の下端をホルダー１９によって保持することができる。また、この状態にあって、ホルダー１９の下面が、防水層押え１１の天板部１８ａによって支持されていることにより、該ホルダー１９に保持された遮蔽パネル１６の重量が支えられ、堅牢性が向上する。
【００３１】
また、図５に示すように、コーナードレイン１ａの側部で、コーナードレイン１ａ以外の部分に配設される幅広状の遮蔽パネル１６は、目地溝ｚに上下で一致する位置で、押えコンクリート１０上に固定される断面略コ字形のホルダー１９’と、目地溝ｚとにその上下端を嵌挿することによって保持される。ここで、左右両側の遮蔽パネル１６，１６をスライドさせて、図２に示すように、コーナードレイン１ａに近接させることができるので、コーナードレイン１ａとの隙間を殆どなくすことができる。然る後、各遮蔽パネル１６相互間及び遮蔽パネル１６とコーナードレイン１ａ間の隙間にコーキング２８を施すことにより、遮蔽パネル１６の施工が完了する。
【００３２】
かかる構成にあって、上記のようにコーナードレイン１ａを構成する防水層押え１１の上部位置に、遮蔽パネル１６の下端を保持する保持手段１７を設けたことにより、従来のように、押えコンクリートを嵩上げしたり、遮蔽パネルをコ字状に切欠いたりしなくても、遮蔽パネル１６の下端を保持することができる。これにより、施工を容易かつ迅速に行うことが可能となり、工期を短縮化できる。また、コーナードレイン１ａと遮蔽パネル１６との間に殆ど隙間が生じることなく施工できるので美観性を向上し得るものとなる。
【００３３】
尚、上述した第一実施例では、遮蔽パネル１６の下端を保持する保持手段１７を、断面コ字形のホルダー１９と、該ホルダー１９を防水層押え１１に固定する固定手段とによって構成するようにしているが、これに代えて、図６に示す変形実施例のように、断面コ字形のホルダー１９を防水層押え１１に一体成形することにより、保持手段１７としてもよい。この場合には、上述したホルダー１９の位置調整作用は得られないが、構造が簡略化でき、安価に提供し得るものとなる。
【００３４】
図７，図８は、本発明にかかるコーナードレインの第二実施例を示し、この実施例におけるコーナードレイン１ｂは、水平縁部３ａと垂直縁部３ｂとにより断面略Ｌ形に形成されたドレイン受皿４と、該ドレイン受皿４の垂直縁部３ｂから後方に延成された排水管部５とを備え、さらに前記ドレイン受皿４の後半部分を覆うようにして該ドレイン受皿４に連成された天板部２６ａと左右側板部２６ｂ，２６ｂとからなる支持壁２７とを備えており、該支持壁２７の上部位置に、建物の壁面ｙに沿って立ち上がる防水層８の立ち上がり部８’を遮蔽するための遮蔽パネル１６の下端を保持する保持手段１７が設けられている。
【００３５】
また、上記保持手段１７は、遮蔽パネル１６の下端が嵌挿される断面略コ字形のホルダー１９と、該ホルダー１９を支持壁２７の天板部２６ａに固定する固定手段とにより構成されており、さらに該固定手段が、支持壁２７の天板部２６ａに形成された、螺子孔２１を具備する固定座部２２と、該固定座部２２の螺子孔２１に前方から螺合される固定螺子２３と、ホルダー１９の後背面に連成されて、前記固定螺子２３の操作頭部２４に側方から係合される断面略Ｃ字形の係合部２０とにより構成されている。さらに、ホルダー１９には、図８に拡大して示すように、固定座部２２に対応する位置に、前方からドライバー等の操作工具を挿入して固定螺子２３を回動し得る操作孔２５が形成されている。
【００３６】
即ち、第一実施例では、保持手段１７が防水層押え１１の上部位置に設けられているのに対して、この第二実施例では、保持手段１７がドレイン受皿４に連成された支持壁２７の天板部２６ａに設けられている点が主な相違点となっている。その他の構成は、第一実施例と同じであり、同一部分に同一符号を付して重複する説明を省略する。また、遮蔽パネル１６の施工も上述した第一実施例のものと同様に行うことができる。
【００３７】
上記のようにコーナードレイン１ｂを構成する支持壁２７の上部位置に、遮蔽パネル１６の下端を保持する保持手段１７を設けることにより、この実施例にあっても、従来のように、押えコンクリートを嵩上げしたり、遮蔽パネルをコ字状に切欠く必要がないため、施工を容易かつ迅速に行うことが可能となり、工期の短縮化が図れる。また、コーナードレインと遮蔽パネルとの間に殆ど隙間が生じることなく施工できるので美観性が向上する。
【００３８】
尚、この第二実施例では、遮蔽パネル１６の下端を保持する保持手段１７を、断面コ字形のホルダー１９と、該ホルダー１９を支持壁２７の天板部２６ａに固定する固定手段とによって構成するようにしているが、これに代えて、図９に示す変形実施例のように、断面コ字形のホルダー１９を支持壁２７の天板部２６ａに一体成形することにより、保持手段１７としてもよい。この場合には、ホルダー１９の位置調整作用は得られないが、構造が簡略化でき、安価に提供し得るものとなる。
【００３９】
【発明の効果】
本発明は、上述したように、コーナードレイン１ａを構成する防水層押え１１の上部位置、またはコーナードレイン１ｂを構成する支持壁２７の上部位置に、建物の壁面ｙに沿って立ち上がる防水層８を遮蔽するための遮蔽パネル１６の下端を保持する保持手段１７を設けたから、遮蔽パネル１６の施工に際して、従来のように、押えコンクリートを嵩上げしたり、遮蔽パネルをコ字状に切欠いたりする必要がない。これにより、施工を容易かつ迅速に行うことができ、工期の短縮化が図れる。また、コーナードレイン１ａ，１ｂと遮蔽パネル１６との間に殆ど隙間が生じることなく施工できるので美観性を向上し得るものとなる。
【００４０】
また、上記保持手段１７を、遮蔽パネル１６の下端が嵌挿される断面略コ字形のホルダー１９と、該ホルダー１９を防水層押え１１又は支持壁２７に固定する固定手段とにより構成したから、別体形成したホルダー１９を固定手段によって防水層押え１１又は支持壁２７に固定することにより、該ホルダー１９をコーナードレイン１ａ，１ｂと簡単に一体化させることができる。
【００４１】
さらに、前記固定手段を、防水層押え１１又は支持壁２７の上部に形成された、螺子孔２１を具備する固定座部２２と、該固定座部２２の螺子孔２１に前方から螺合される固定螺子２３と、ホルダー１９の後背面に連成されて、前記固定螺子２３の操作頭部２４に係合される断面略Ｃ字形の係合部２０とにより構成するようにすれば、上記のようにホルダー１９をコーナードレイン１ａ，１ｂと一体化させることができるとともに、固定螺子２３の螺進作用を介してホルダー１９を進退させることにより、該ホルダー１９に保持される遮蔽パネル１６の位置調整を簡単に行うことができる。
【００４２】
また、コーナードレイン１ａを構成する防水層押え１１に、前方に向けて突出する天板部１８ａを連成し、該天板部１８ａによってホルダー１９の下面を支持するようにすれば、ホルダー１９に保持される遮蔽パネル１６の重量を支えることができ、堅牢性を向上させることができる。
【００４３】
さらに、上記保持手段１７の他の構成として、遮蔽パネル１６の下端が嵌挿される断面略コ字形のホルダー１９を、防水層押え１１又は支持壁２７の天板部２６ａに一体成形するようにすれば、構造が簡略化でき、安価に提供し得るものとなる。
【００４４】
また、前記ホルダー１９に、前方から操作工具を挿入して固定螺子２３を回動し得る操作孔２５を形成するようにすれば、ホルダー１９の進退操作を前方から容易に行うことが可能となる。
【図面の簡単な説明】
【図１】第一実施例にかかるコーナードレインの施工状態を示す縦断側面図である。
【図２】同上の施工状態の一部切欠正面図である。
【図３】同上の施工状態の平面図である。
【図４】要部の拡大斜視図である。
【図５】遮蔽パネルの施工状態を示す斜視図である。
【図６】第一実施例の変形実施例を示す要部の拡大断面図である。
【図７】第二実施例にかかるコーナードレインの施工状態を示す縦断側面図である。
【図８】ホルダーに形成された操作孔を示す要部の拡大断面図である。
【図９】第二実施例の変形実施例を示す要部の拡大断面図である。
【図１０】従来構成の施工態様を示す縦断側面図である。
【図１１】同上の施工態様の斜視図である。
【図１２】他の従来構成の施工態様を示す斜視図である。
【符号の説明】
１ａ，１ｂ  コーナードレイン
２  ドレイン本体
３ａ  水平縁部
３ｂ  垂直縁部
４  ドレイン受皿
５  排水管部
８  防水層
９  開口縁
１１  防水層押え
１６  遮蔽パネル
１７  保持手段
１８ａ  天板部
１９  ホルダー
２０  係合部
２１  螺子孔
２２  固定座部
２３  固定螺子
２４  操作頭部
２５  操作孔
２６ａ  天板部
２６ｂ  左右側板部
２７  支持壁
ｘ  床面
ｙ  壁面
【図１】
0003892304.tif 000002
【図２】
0003892304.tif 000003
【図３】
0003892304.tif 000004
【図４】
0003892304.tif 000005
【図５】
0003892304.tif 000006
【図６】
0003892304.tif 000007
【図７】
0003892304.tif 000008
【図８】
0003892304.tif 000009
【図９】
0003892304.tif 000010
【図１０】
0003892304.tif 000011
【図１１】
0003892304.tif 000012
【図１２】
0003892304.tif 000013